(57)【要約】【課題】ファイル孔が無い綴り対象物や、ファイル孔が穿孔されている綴り対象物であっても該ファイル孔とホルダー爪のピッチと数が対応していない綴り対象物を、挟着してバインダーに綴り込み、取り外すことが可能で、前記挟着した綴り対象物から容易に剥離し繰り返し使用することが可能な綴り具を提供することを目的とする。【解決手段】綴り対象物の一端縁の一方の表面に粘着される第１粘着シートと綴り対象物の一端縁の他方の表面に粘着される第２粘着シートを有し、該第１粘着シート、第２粘着シートの基端にファイル孔を穿孔した綴り片を連設してなる綴り具において、上記第１、２粘着シートの内表面に常粘性を有する粘着面を有し該粘着面を互いに粘着して剥離可能な挟着代を形成しており、上記第１、２粘着シートの自由端縁の内表面を非粘着面にして第１、２粘着シートの粘着を剥離する為の開閉用つまみ代を形成し、上記綴り片に単ファイル孔を穿孔してなる。【選択図】図１2005305928.tif 000003
2005305928.tif 000002
【特許請求の範囲】
【請求項１】
綴り対象物の一端縁の一方の表面に粘着される第１粘着シートと綴り対象物の一端縁の他方の表面に粘着される第２粘着シートを有し、該第１粘着シート、第２粘着シートの基端にファイル孔を設けた綴り片を連設してなる綴り具において、上記第１粘着シート、第２粘着シートの内表面に常粘性を有する粘着面を有し該粘着面を互いに粘着して剥離可能な挟着代を形成しており、上記第１粘着シート、第２粘着シートの自由端縁の内表面を非粘着面にして第１粘着シート、第２粘着シートの粘着を剥離する為の開閉用つまみ代を形成していることを特徴とする綴り具。
【請求項２】
上記綴り片に単ファイル孔を穿孔し、綴り片を形成していたることを特徴とする請求項１記載の綴り具。
【発明の詳細な説明】
【技術分野】
【０００１】
本発明は、バインダー等に書類等を綴り込むために用いる綴り具に関するものである。
【背景技術】
【０００２】
綴り対象物に穿孔したファイル孔をホルダー爪等に挿入して綴るバインダーは、簡単な構造で綴り対象物の着脱が自由でかつ確実に保持できる利点があるので、各種ピッチのホルダー爪とファイル孔を有するものが実用に供されている。
【０００３】
しかし、綴り対象物にファイル孔を穿孔すると綴り対象物を毀損し、孔あけ用具がない場合には綴り対象物にファイル孔を穿孔することができないのでバインダーに綴ることができない。
【０００４】
また、ファイル孔が穿孔されている綴り対象物であっても、該ファイル孔とホルダー爪のピッチと数が対応していない場合には綴ることができないなどの問題があった。
【０００５】
特許文献１の補助綴り具は、各種バインダーの規定のホルダー爪のピッチに対応するファイル孔を穿孔した補助綴り具を種類多く必要とするものであり、不経済でかつ利便性に欠ける問題を有している。
また、書類を挟着する２枚のシートの接面に接着剤を塗布してあるので、未使用のときは剥離紙をあてておき、使用時にバインダーに綴じる書類等を２枚のシートの間に挿入し、前記剥離紙を剥がし圧着するものであり、製造には廃棄する剥離紙を必要とし、使用方法も煩雑であった。
【特許文献１】特開平１０−５２９８９号公報
【発明の開示】
【発明が解決しようとする課題】
【０００６】
本発明は上記問題を適切に解決する綴り具を提供するものである。
【課題を解決するための手段】
【０００７】
本発明は、綴り対象物の一端縁の一方の表面に粘着される第１粘着シートと綴り対象物の一端縁の他方の表面に粘着される第２粘着シートを有し、該第１粘着シート、第２粘着シートの基端にファイル孔を設けた綴り片を連設してなる綴り具において、上記第１粘着シート、第２粘着シートの内表面に常粘性を有する粘着面を有し該粘着面を互いに粘着して剥離可能な挟着代を形成しており、上記第１粘着シート、第２粘着シートの自由端縁の内表面を非粘着面にして第１粘着シート、第２粘着シートの粘着を剥離する為の開閉用つまみ代を形成し、上記綴り片に単ファイル孔を穿孔し綴りに供する構成としたことを特徴とする。
【発明の効果】
【０００８】
本発明の綴り具は、特許文献１の如き剥離紙を使用せず、第１、第２粘着シートを容易に引き剥がすことができる。即ち、使用時には開閉用つまみ代を手指で摘み引っ張れば第１、第２粘着シートを容易に引き剥がして拡開し、直ちに綴り対象物の端縁に粘着することができ、又綴り対象物の端縁に粘着後においても同様に開閉用つまみ代を引っ張り綴り対象物から容易に引き剥がすことができ、綴り対象物を傷めない。
【０００９】
また、本発明の綴り具は、バインダーのホルダー爪の数やピッチの条件に拘束されることなく１個の綴り具で綴り対象物を単ファイル孔を介してバインダーに綴り込むことができる。又は複数個の綴り具を、各単ファイル孔がホルダー爪のピッチに適合する間隔を置き、綴り対象物の端縁に配設し各単ファイル孔を用いて綴り込むことができるので、バインダーのホルダー爪の数や軸間隔ピッチに合わせたファイル孔を穿孔した補助綴り具を種類多く揃えておく必要がなく、経済性かつ利便性に優れている。
【発明を実施するための最良の形態】
【００１０】
以下本発明を実施するための最良の形態を図１乃至図９に基づいて説明する。
綴り対象物１３の一端縁の一方の表面に粘着される第１粘着シート６と綴り対象物の一端縁の他方の表面に粘着される第２粘着シート７を有し、該第１粘着シート６、第２粘着シート７の基端にファイル孔４を設けた綴り片３を連設してなる綴り具１において、上記第１粘着シート６、第２粘着シート７の内表面に常粘性を有する粘着面８を有し該粘着面８を互いに粘着して剥離可能な挟着代２を形成しており、上記第１粘着シート６、第２粘着シート７の自由端縁の内表面を非粘着面９にして第１粘着シート６、第２粘着シート７の粘着を剥離する為の開閉用つまみ代５を形成し、上記綴り片３に単ファイル孔４を穿孔してなる。
【００１１】
更に具体的に説明すると、上記綴り具１は、図１、２に示すように、片面常粘性の一枚のシートを重ね折りして粘着面８を互いに粘着し、その基端（折曲側端部）に、バインダーに綴り込む為の単ファイル孔４を穿孔した貼り合わせ片３ａ、３ｂから成る綴り片３を形成し、該綴り片３の折曲側とは反対側の端部に第１粘着シート６と第２粘着シート７を連設する。第１粘着シート６は綴り片３の一方の貼り合わせ片３ａに連設され、第２粘着シート７は同他方の貼り合わせ片３ｂに連設され、互いに粘着している。上記第１、第２粘着シート６、７の自由端縁に沿い上記非粘着面９とした開閉用つまみ代５を形成し、該つまみ代５と前記綴り片３間のシート領域を挟着代２とする。
【００１２】
例えば第１粘着シート６と第２粘着シート７の自由端縁をそれぞれ粘着面８側に手指でつまめる程度折り返し非粘着面９が内面側に向くように粘着して、該第１粘着シート６と第２粘着シート７の粘着を剥離する為の非粘着のつまみ代５を形成して、第１粘着シート６、第２粘着シート７の粘着を容易に引き剥がして拡開し、直ちに綴り対象物１３の端縁に粘着することができ、又綴り対象物１３の端縁に粘着後においても同様に、開閉用つまみ代５を引っ張り綴り対象物１３から容易に引き剥がすことができる。
【００１３】
図３、４に示すように、挟着代２を形成する前記第１粘着シート６と第２粘着シート７の粘着を剥離して広げた内表面の２枚のシートの散り決め線１１に沿って、外表面が非粘着面９のテープ１０を前記２枚のシートの双方に架けて貼付し散り決め線１１を補強する。同時に該テープ１０は、綴り対象物１３を挟着する場合に、第１粘着シート６と第２粘着シート７の粘着面８に不用意に粘着して該綴り対象物１３を挟着する正位置にセットする妨げになることを回避し、該綴り対象物１３を前記散り決め線１１へ導びくガイドとなり、綴り対象物１３の挟着を容易にすることができる。散り決め線１１は、綴り片３に対する第１、第２粘着シート６、７の開閉支点線と一致する。
【００１４】
図５乃至図７は、本発明の綴り具１で綴り対象物１３を挟着した使用状態を示す。
本発明の綴り具１は、バインダー１４のホルダー爪１５の数やピッチの条件に拘束されることなく１個の綴り具１で綴り対象物１３を単ファイル孔４を介してバインダーに綴り込むことができる。又は複数個の綴り具１を各単ファイル孔４がホルダー爪のピッチに適合する間隔を置き、綴り対象物１３の端縁に配設し各単ファイル孔４を用いて綴り込むことができる。
【００１５】
図８に示す本発明の綴じ具１は、綴り片３に剛性を有する芯材１２を介在して補強した実施例である。また、透明又は半透明の合成樹脂シート等の透視可能な素材で形成し、綴り対象物１３に粘着した綴り具１の部位の記載を目視できるようにする。
本発明の綴り具１は、１枚のシートを中央で二つ折りして形成することも、２枚のシートの常粘面を重ね合わせて形成することもできる。いずれも単純な構造で安価に製造することができる。
好ましい例示として、上記綴り具１は全体を略三角形とし、その頂角部で前記綴り片３を形成し、そこから底辺に至る幅広デルタ部で前記挟着代２を形成し、その最大幅の底辺部で前記つまみ代５を形成する。
【００１６】
本発明の綴り具１は、バインダー１４に綴り対象物１３を綴る他、一本軸の伝票挿しなどにも用いることができる。さらに、再剥離可能であるからメモやスクラップなどの仮綴じ、あるいは、付箋や見出しとして用いることができる。
綴り片３は、任意の色で着色したり絵や文字を記すなどして綴り対象物１３の識別に役立たせることや飾りにすることができる。
【００１７】
また、本発明の綴り具１は、小型軽量でありバインダー１４に予め複数個綴り込んでおき、必要に際して対象物１３を挟着して綴ることができる。
【図面の簡単な説明】
【００１８】
【図１】綴り具の平面図である。
【図２】綴り具の断面図である。
【図３】挟着代の第１、２粘着シートの粘着面を広げた平面図である。
【図４】挟着代の第１、２粘着シートの粘着面を広げた断面図である。
【図５】綴り具で綴り対象物を挟着している状態を示した平面図である。
【図６】綴り具で綴り対象物を挟着している状態を示した断面図である。
【図７】広げた挟着代の散り決め線に綴り対象物を当てている状態を示した断面図である。
【図８】綴り片に剛性を有する芯材を介在した綴り具の断面図である。
【図９】綴り対象物をバインダーに綴じ込んでいる状態を示した平面図である。
【符号の説明】
【００１９】
１    綴り具
２    挟着代
３    綴り片
３ａ  綴り片３を形成する第１粘着シートに連設された貼り合わせ片
３ｂ  綴り片３を形成する第２粘着シートに連設された貼り合わせ片
４    単ファイル孔
５    つまみ代
６    第１粘着シート
７    第２粘着シート
８    粘着面
９    非粘着面
１０    綴り片と第１、２粘着シートの支点線補強テープ
１１    第１、２粘着シート散り決め線
１２    綴り片の芯材
１３    綴り対象物
１４    バインダー
１５    ファイル爪
１６    ファイル孔既存のバインダー専用用紙
【図１】
2005305928.tif 000004
【図２】
2005305928.tif 000005
【図３】
2005305928.tif 000006
【図４】
2005305928.tif 000007
【図５】
2005305928.tif 000008
【図６】
2005305928.tif 000009
【図７】
2005305928.tif 000010
【図８】
2005305928.tif 000011
【図９】
2005305928.tif 000012